Podtech/llm-jp-corpus-v4-ja_patent huggingface dataset:
【手続補正書】
【提出日】平成18年11月17日(2006.11.17)
【手続補正１】
【補正対象書類名】特許請求の範囲
【補正対象項目名】全文
【補正方法】変更
【補正の内容】
【特許請求の範囲】
【請求項１】
慢性もしくは神経障害性疼痛の処置、片頭痛の処置もしくは防止、または切迫性、腹圧性もしくは混合性尿失禁の処置のための医薬であって、式IA、IB、IIA、IIB、IIIAまたはIIIB：
【化１】
2006509783.tif 000001
［式中、
R1は、C1-C6アルキル、C2-C6アルケニル、C2-C6アルキニル、C3-C6シクロアルキル、C4-C7シクロアルキルアルキルおよびベンジル［これらは各々各存在毎に所望によりC1-C3アルキル、ハロゲン、-CN、-OR8および-NR8R9から個別に選ばれる1〜3個の置換基で置換されていてもよい］であり；
R2は、H、C1-C6アルキル、C2-C6アルケニル、C2-C6アルキニル、C3-C6シクロアルキル、C4-C7シクロアルキルアルキルおよびC1-C6ハロアルキルより成る群から選ばれ；
R3は、H、ハロゲン、C1-C6アルキル、C1-C6ハロアルキルおよびC3-C6シクロアルキル［ここでC1-C6アルキル、C1-C6ハロアルキルおよびC3-C6シクロアルキルは、各存在毎に所望によりOR8およびNR8R9から個別に選ばれる1〜3個の置換基で置換されていてもよい］より成る群から選ばれ；
R4、R5およびR6は、各存在毎に、H、ハロゲン、-OR10、-NO2、-NR10R11、-NR10C(O)R11、NR10C(O)NR11R12、-S(O)nR11、-CN、-C(O)R11、-C(O)2R11、-C(O)NR11R12、C1-C6アルキル、C2-C6アルケニル、C2-C6アルキニル、C3-C6シクロアルキルおよびC4-C7シクロアルキルアルキル［ここで、C1-C6アルキル、C2-C6アルケニル、C2-C6アルキニル、C3-C6シクロアルキルおよびC4-C7シクロアルキルアルキルの各々は、各存在毎に所望によりC1-C3アルキル、ハロゲン、=O、-CN、-OR8、-NR8R9およびフェニルから個別に選ばれる1〜3個の置換基で置換されていてもよく、また、フェニルは、各存在毎に所望によりハロゲン、-CN、C1-C4アルキル、C1-C4ハロアルキル、-OR8および-NR8R9から個別に選ばれる1〜3個の置換基で置換されていてもよい］より成る群から各々個別に選ばれ；
或いは、R5およびR6は合して-O-C(R11)2-O-であり；
R7は、H、ハロゲンおよびOR10より成る群から選ばれ；
R8およびR9は、H、C1-C4アルキル、C1-C4ハロアルキル、C1-C4アルコキシアルキル、C1-C4アルコキシアルキルアルキル、C3-C6シクロアルキル、C4-C7シクロアルキルアルキル、-C(O)R12、フェニルおよびベンジル［ここで、フェニルおよびベンジルは各存在毎に所望によりハロゲン、シアノ、C1-C4アルキル、C1-C4ハロアルキル、C1-C4アルコキシおよびC1-C4ハロアルコキシから個別に選ばれる1ないし3個の置換基で置換されていてもよい］より成る群から各々個別に選ばれるか、または、R8およびR9は、それらが結合している窒素と合して、ピペリジン、ピロリジン、ピペラジン、N-メチルピペラジン、モルホリン、またはチオモルホリン環を形成し；
R10は、H、C1-C4アルキル、C1-C4ハロアルキル、C1-C4アルコキシアルキル、C3-C6シクロアルキル、C4-C7シクロアルキルアルキル、-C(O)R12、フェニルおよびベンジル［ここで、フェニルおよびベンジルは各存在毎に所望によりハロゲン、-NH2、-OH、シアノ、C1-C4アルキル、C1-C4ハロアルキル、C1-C4アルコキシおよびC1-C4ハロアルコキシから個別に選ばれる1〜3個の置換基で置換されていてもよい］より成る群から選ばれ；
R11は、H、C1-C4アルキル、C1-C4ハロアルキル、C1-C4アルコキシアルキル、C3-C6シクロアルキル、C4-C7シクロアルキルアルキル、フェニルおよびベンジル［ここで、フェニルおよびベンジルは各存在毎に所望によりハロゲン、-NH2、-OH、シアノ、C1-C4アルキル、C1-C4ハロアルキル、C1-C4アルコキシおよびC1-C4ハロアルコキシから個別に選ばれる1〜3個の置換基で置換されていてもよい］より成る群から選ばれ、または、R10およびR11は、それらが結合している窒素と合して、ピペリジン、ピロリジン、N-メチルピペラジン、モルホリン、またはチオモルホリン環を形成し［但し、R8とR9またはR10とR11のうち一方のみがそれらが結合している窒素と合してピペリジン、ピロリジン、ピペラジン、N-メチルピペラジン、モルホリン、またはチオモルホリン環を形成する］；
R12は、C1-C4アルキル、C1-C4ハロアルキルおよびフェニルより成る群から選ばれ；
Xは、O、NR13およびSより成る群から選ばれ；
Xを含んでいる環は、フラン、ピロール、チオフェン、ジヒドロフラン、ジヒドロピロール、およびジヒドロチオフェンから選ばれ；nは0、1、または2であり；そして、
R13は、H、C1-C6アルキル、ベンジルおよびフェニル［ここで、C1-C6アルキル、ベンジルおよびフェニルは各存在毎に所望によりハロゲン、-NH2、-OH、シアノ、C1-C4アルキル、C1-C4ハロアルキル、C1-C4アルコキシおよびC1-C4ハロアルコキシから個別に選ばれる1〜3個の置換基で置換されていてもよい］より成る群から選ばれる］
のうちいずれか１つから選ばれる化合物またはその薬学上許容し得る塩またはその異性体もしくはプロドラッグを含む前記医薬。
【請求項２】
R1がC1-C6アルキルである、請求項1に記載の医薬。
【請求項３】
R1がCH3である、請求項2に記載の医薬。
【請求項４】
R2がH、C1-C6アルキル、C3-C6シクロアルキル、またはC1-C6ハロアルキルである、請求項1に記載の医薬。
【請求項５】
R2がHまたはC1-C6アルキルである、請求項4に記載の医薬。
【請求項６】
R2がHである、請求項5に記載の医薬。
【請求項７】
R3が各存在毎に個別にH、ハロゲン、C1-C6アルキル、または、OR8もしくはNR8R9のうち1〜3個で置換されているC1-C6アルキルである、請求項1に記載の医薬。
【請求項８】
R3がHまたはC1-C6アルキルである、請求項7に記載の医薬。
【請求項９】
R3がHである、請求項8に記載の医薬。
【請求項１０】
R1がCH3であり、R2がHであり、そしてR3がHである、請求項1に記載の医薬。
【請求項１１】
R4、R5およびRが各々個別にH、ハロゲン、C1-C6アルキルまたは-OR10である、請求項1に記載の医薬。
【請求項１２】
R4、R5およびR6のうち少なくとも1個がHである、請求項11に記載の医薬。
【請求項１３】
R4、R5およびR6の各々がHである、請求項12に記載の医薬。
【請求項１４】
R4、R5およびR6のうち1個がハロゲンである、請求項12に記載の医薬。
【請求項１５】
R1がCH3であり、R2およびR3が各々Hであり、そしてR4、R5、およびR6のうち少なくとも1個がHである、請求項1に記載の医薬。
【手続補正書】
【提出日】平成18年11月27日(2006.11.27)
【手続補正１】
【補正対象書類名】特許請求の範囲
【補正対象項目名】全文
【補正方法】変更
【補正の内容】
【特許請求の範囲】
【請求項１】
マクロファージの活性化、不活化、分化およびアポトーシスと関連する炎症性疾患または状態の治療のための１またはそれ以上の合成ＣＲＨ−Ｒ１アンタゴニストおよび／またはＣＲＨ−Ｒ２アゴニストの使用。
【請求項２】
該１またはそれ以上の合成ＣＲＨ−Ｒ１アンタゴニストおよび／またはＣＲＨ−Ｒ２アゴニストがアンタラーミンを含む、請求項１ に記載の使用。
【請求項３】
該炎症性疾患または状態が、慢性炎症性腸疾患、特発性炎症障害、結合組織の炎症障害、炎症性の脱髄性多発ニューロパシー、炎症性のミオパシー、滑液包炎を含む関節の炎症性疾患、線維筋痛症候群および上部胃腸管の炎症性疾患である、請求項１または２ に記載の使用。
【請求項４】
１またはそれ以上の合成ＣＲＨ−Ｒ１アンタゴニストおよび／またはＣＲＨ−Ｒ２アゴニストを含む医薬組成物。
【請求項５】
局所投与または全身投与用に製剤化されている、請求項４に記載の医薬組成物。
【請求項６】
希釈剤、充填剤、結合剤、崩壊剤、滑沢剤、保存剤、香味剤および着色剤などの通常の賦形剤をさらに含む、請求項４または５に記載の医薬組成物。
【請求項７】
経口、非経口または皮内投与用に製剤化されている、請求項４ないし６のいずれかに記載の医薬組成物。
【請求項８】
注射液として製剤化されている、請求項７に記載の医薬組成物。
【請求項９】
該１またはそれ以上の合成ＣＲＨ−Ｒ１アンタゴニストおよび／またはＣＲＨ−Ｒ２アゴニストがアンタラーミンを含む、請求項４ないし８のいずれかに記載の医薬組成物。
【請求項１０】
該１またはそれ以上の合成ＣＲＨ−Ｒ１アンタゴニストおよび／またはＣＲＨ−Ｒ２アゴニストがアンタラーミンである、請求項９に記載の医薬組成物。
【請求項１１】
マクロファージの活性化、不活化、分化およびアポトーシスと関連する炎症性疾患または状態の治療用医薬組成物の製造のための１またはそれ以上の合成ＣＲＨ−Ｒ１アンタゴニストおよび／またはＣＲＨ−Ｒ２アゴニストの使用。
【請求項１２】
該炎症性疾患または状態が、慢性炎症性腸疾患、特発性炎症障害、結合組織の炎症障害、炎症性の脱髄性多発ニューロパシー、炎症性のミオパシー、滑液包炎を含む関節の炎症性疾患、線維筋痛症候群および上部胃腸管の炎症性疾患である、請求項１１に記載の使用。
【請求項１３】
１またはそれ以上の個々の医薬組成物に含まれる１またはそれ以上のＣＲＨ−Ｒ１アンタゴニストおよび／またはＣＲＨ−Ｒ２アゴニストを含む、炎症性疾患または状態の治療のためのキット。
【請求項１４】
該１またはそれ以上のＣＲＨ−Ｒ１アンタゴニストおよび／またはＣＲＨ−Ｒ２アゴニストがアンタラーミンを含む、請求項１３に記載のキット。
【手続補正書】
【提出日】平成18年12月11日(2006.12.11)
【手続補正１】
【補正対象書類名】特許請求の範囲
【補正対象項目名】全文
【補正方法】変更
【補正の内容】
【特許請求の範囲】
【請求項１】
ミネラライザが添加された超臨界アンモニア含有溶媒中において、ガリウム含有フィードストックから単結晶ガリウム含有窒化物を得るためのプロセスであって、
上記プロセスは、
フィードストックを金属の形態からガリウム含有窒化物多結晶まで変換する第１ステップと、
フィードストックが徐々に溶解され、そしてフィードストックの溶解温度より高い温度で少なくとも１つの単結晶シード上においてガリウム含有窒化物が選択的に結晶化されることにより、ガリウム含有窒化物が結晶化されその後ガリウム含有窒化物バルク単結晶が得られる第２ステップと、を有することを特徴とするプロセス。
【請求項２】
上記のミネラライザが、ＬｉＮ３、ＮａＮ３、ＫＮ３、ＣｓＮ３、若しくはそれらの混合物であることを特徴とする請求項１記載のプロセス。
【請求項３】
上記第１ステップにおいて、両領域間の対流及び化学輸送を抑制し、さらに可溶性ガリウム化合物に対する超臨界溶液の飽和度が減少することを特徴とする請求項１記載のプロセス。
【請求項４】
溶解領域に配置された金属ガリウムを含むルツボの開閉を調整することにより、可溶性ガリウム化合物に対する超臨界溶液の飽和度を減少させることを特徴とする請求項１記載のプロセス。
【請求項５】
上記溶解領域における、第１ステップの最初の段階での温度勾配が、０．１℃／minより大きく、さらに上記溶解領域における、第１ステップの温度が３５０℃以上、好ましくは４００℃以上に維持されることを特徴とする請求項１記載のプロセス。
【請求項６】
第１ステップにおいて、上記溶解領域における温度が、結晶化領域の温度より高く維持され、さらに第２ステップにおいて、結晶化領域の温度を、溶解領域の温度より高い値まで増加させることを特徴とする請求項１記載のプロセス。
【請求項７】
上記結晶化領域における、第２ステップの最初の段階での温度勾配により、シードを溶解することを可能とすることを特徴とする請求項１記載のプロセス。
【請求項８】
請求項１記載のプロセスにおいて、ガリウム含有窒化物バルク単結晶の成長速度を制御するためのプロセスであって、
上記プロセスは、
対流及び化学輸送を抑制しつつ、フィードストックを金属の形態からガリウム含有窒化物多結晶まで変換する第１ステップと、
その後フィードストックの溶解の条件、及び可溶性ガリウム化合物に対する超臨界溶液の飽和度の条件が制御され、
さらに対流が引き起こされた後、上記フィードストックが完全に又は部分的に消費される間、上記フィードストックが徐々に溶解され、フィードストックの溶解領域での温度より高い温度で、少なくとも１つの単結晶シード上においてガリウム含有窒化物が選択的に結晶化され、そしてガリウム含有窒化物バルク単結晶が得られる第２ステップと、を有することを特徴とする請求項１記載のプロセス。
【請求項９】
請求項１記載の方法により得られるガリウム含有窒化物バルク単結晶から基板を形成するプロセスであって、上述のように得られたガリウム含有窒化物バルク単結晶層がその後分割され洗浄されることを特徴とするプロセス。
【請求項１０】
上記のシード上に結晶化されたガリウム含有窒化物バルク単結晶層が、１ｍｍ以上、好ましくは３ｍｍ以上の膜厚を有することを特徴とする請求項１記載のプロセス。
【請求項１１】
気相から結晶化させる方法により、好ましくはＭＯＣＶＤ法若しくはＨＶＰＥ法を使用して、得られた基板上に保護層を成長させることを特徴とする請求項１記載のプロセス。
【請求項１２】
上述のようにして得られた基板上に、ＡｌＸＧａ１−ＸＮ（０≦Ｘ＜１）からなる保護層を成長させることを特徴とする請求項１記載のプロセス。
【請求項１３】
上記アニールプロセスが、不純物（水素、及び／又はアンモニア、若しくは結晶化プロセス及び／又はアニールプロセスの間形成された不純物から形成されたイオン等）が所望のレベルに達するまで、単一のステップにおいて、若しくは複数のステップにおいて実行されることを特徴とする請求項１記載のプロセス。
【請求項１４】
請求項１に記載された方法により得られるガリウム含有窒化物バルク単結晶から不純物を取り除くためのプロセスであって、
上述のようにして得られたバルク状ガリウム含有窒化物の単結晶の層が、１ｍｍ以上、好ましくは３ｍｍ以上の膜厚を有し、その後当該層は複数のウェハに分割され、上記ウウェハは、
（ａ）超臨界アンモニア含有溶媒の雰囲気下で、水若しくは二酸化炭素により濯ぎ洗いされるか、
（ｂ）液体のアンモニア含有溶媒の雰囲気下で、水若しくは二酸化炭素により濯ぎ洗いされるか、若しくは、
（ｃ）少なくともいくつかの不純物が、単結晶窒化物から洗い落とされながら、気相の水素、窒化物、アンモニアの作用に供されることを特徴とするプロセス。
【請求項１５】
（ａ）超臨界アンモニア含有溶媒の雰囲気下で、水若しくは二酸化炭素で濯ぎ洗いするか、若しくは
（ｂ）液体のアンモニア含有溶媒の雰囲気下で、水若しくは二酸化炭素で濯ぎ洗いすることにより不純物を取り除くプロセスが、超音波を加えることにより補助されることを特徴とする請求項１記載のプロセス。
【請求項１６】
ガリウム含有窒化物バルク単結晶を分割するためにワイヤソーを使用することを特徴とする請求項１に記載のプロセス。
【請求項１７】
超臨界アンモニア含有溶媒中において、ガリウム含有フィードストックからガリウム含有窒化物バルク単結晶を得るためのプロセスであって、
上記フィードストックが、金属ガリウムの形態若しくは単結晶ガリウム含有窒化物の形態をしており、
上記アンモニア含有溶媒は、Ｉ族元素及び／又はそれらの混合物及び／又はそれらの化合物、特に窒素及び／又は水素を含む化合物の形態をしたミネラライザが添加されたアンモニアの形態であり、
プロセスのそれぞれのステップにおいて２つの温度領域が存在し、フィードストックが溶解領域に配置され、そして少なくとも１つの単結晶シードを再結晶領域において成長させ、続いて溶媒を超臨界状態とし、
上記プロセスは、
第１温度で金属ガリウムを溶液に変換する第１ステップと、
その後単結晶のガリウム含有窒化物の形態のフィードストック上にガリウム含有窒化物を選択的に結晶化させる第２ステップと、
その後、反応系（フィードストック、シード及びミネラライザを含む）の全ての必要不可欠な成分が当該系に不変的に残ったまま、フィードストックを徐々に溶解し、さらにフィードストックの溶解温度より高い温度で少なくとも１つのシード上においてガリウム含有窒化物を選択的に結晶化することにより、ガリウム含有窒化物を結晶化させ、その後ガリウム含有窒化物バルク単結晶が得られる第３ステップと、を有することを特徴とするプロセス。
【手続補正書】
【提出日】平成19年5月9日(2007.5.9)
【手続補正１】
【補正対象書類名】特許請求の範囲
【補正対象項目名】全文
【補正方法】変更
【補正の内容】
【特許請求の範囲】
【請求項１】
超臨界アンモニア含有溶媒中において、ガリウム含有窒化物のバルク単結晶を得るためのプロセスに使用されるミネラライザであって、このミネラライザはＩ族元素イオン、好ましくはナトリウムイオンと、
（ａ）他のＩ族元素（ＩＵＰＡＣ１９８９）のイオン、
（ｂ）II族元素（ＩＵＰＡＣ１９８９）のイオン、好ましくはカルシウムイオン若しくはマグネシウムのイオン、
（ｃ）超臨界溶媒のアンモノ塩基性を弱める酸素フリーの化合物を含む１以上の物質、若しくは
（ｄ）II族元素（ＩＵＰＡＣ１９８９）のイオン、好ましくはカルシウムイオン若しくはマグネシウムイオン、及び超臨界溶媒のアンモノ塩基性を弱める酸素フリーの化合物を含む１以上の物質、の少なくとも１以上と、を含有するミネラライザ。
【請求項２】
超臨界アンモニア含有溶媒中における、ガリウム含有窒化物の溶解度の温度係数を負とすることができる請求項１記載のミネラライザ。
【請求項３】
ナトリウム及び他のＩ族元素（ＩＵＰＡＣ１９８９）を含有し、他のＩ族元素（ＩＵＰＡＣ１９８９）のイオンに対するナトリウムイオンのモル比が１：１０から１０：１であることを特徴とする請求項１又は２記載のミネラライザ。
【請求項４】
Ｉ族元素（ＩＵＰＡＣ１９８９）のイオンと、II族元素（ＩＵＰＡＣ１９８９）のイオンと、を含有し、Ｉ族元素（ＩＵＰＡＣ１９８９）に対するII族元素（ＩＵＰＡＣ１９８９）のモル比が、１：５００から１：５、好ましくは１：１００から１：２０の範囲に及んでいる請求項１又は２記載のミネラライザ。
【請求項５】
上記酸素フリーの化合物が硫黄を含む請求項１又は２記載のミネラライザ。
【請求項６】
ナトリウム、カリウム及びリチウムからなる群から選択されるＩ族元素を含有する請求項１乃至５のいずれかに記載のミネラライザ。
【請求項７】
上記Ｉ族元素がアジドの形態である請求項１乃至６のいずれかに記載のミネラライザ。
【請求項８】
さらに、硫黄若しくはハロゲンを含有する酸性ミネラライザを含む請求項１乃至７のいずれかに記載のミネラライザ。
【請求項９】
（ＮＨ４）２Ｓ、（ＮＨ４）ＨＳ、若しくは（ＮＨ４）２Ｓ５のような硫化物からなる群から選択される請求項８記載のミネラライザ。
【手続補正書】
【提出日】平成18年11月16日(2006.11.16)
【手続補正１】
【補正対象書類名】特許請求の範囲
【補正対象項目名】全文
【補正方法】変更
【補正の内容】
【特許請求の範囲】
【請求項１】
神経障害性陰性知覚症状を処置するための組成物であって、神経障害性陰性知覚症状を罹患する患者の該陰性知覚症状の部位またはその近くに適用されるのに適切な麻酔薬を含む、組成物。
【請求項２】
前記麻酔薬は、安息香酸誘導体である、請求項１に記載の組成物。
【請求項３】
前記安息香酸誘導体は、ベンゾカイン、プロカイン、テトラカイン、クロロプロカイン、プロポキシカイン、コカイン、プロパラカイン、メピバカイン、ブピバカイン、フェノカイン、ジブカイン、エチドカイン、リドカイン、プリロカインおよびそれらの薬学的に受容可能な塩からなる群より選択される、請求項２に記載の組成物。
【請求項４】
前記安息香酸誘導体は、リドカインである、請求項３に記載の組成物。
【請求項５】
前記リドカインは、パッチ中に含まれる、請求項４に記載の組成物。
【請求項６】
前記パッチは、約２％と約１０％との間のリドカインを含む、請求項５に記載の組成物。
【請求項７】
前記パッチは、約５％のリドカインを含む、請求項６に記載の組成物。
【請求項８】
ポリ塩化ビニル、ポリ塩化ビニリデン、ポリエチレン、合成ゴム、ポリエステル織布およびポリエステル不織布からなる群より選択される材料から形成される、前記麻酔薬の上に適用されるのに適切なカバーを含む、請求項１に記載の組成物。
【請求項９】
神経障害性陰性知覚症状を処置するための組成物であって、該組成物は、経皮投与に適切な麻酔薬を含み、さらに、生理学的に受容可能な接着剤を含み該陰性知覚症状の部位またはその近くに適用されるのに適切な、約２重量％〜１０重量％のリドカインを含むポリエステル不織布を含む、組成物。
【請求項１０】
前記リドカインは、約５重量％で存在する、請求項９に記載の組成物。
【請求項１１】
患者の皮膚の麻痺を減少させるための組成物であって、該皮膚に、該麻痺の部位またはその近くに適用するのに適切な局所麻酔を含む、組成物。
【手続補正書】
【提出日】平成18年11月22日(2006.11.22)
【手続補正１】
【補正対象書類名】特許請求の範囲
【補正対象項目名】全文
【補正方法】変更
【補正の内容】
【特許請求の範囲】
【請求項１】
造血細胞を必要とする患者の治療に適した細胞治療単位であって、
複数の分化能を持つ細胞内に少なくとも約１００個のＣＤ３４＋細胞、若しくは少なくとも約１００個のＣＤ８＋細胞を有するものであり、
前記単位は複数の供給源からの細胞を有し、前記複数の供給源の１供給源は分娩後の胎盤灌流液である、細胞治療単位。
【請求項２】
請求項１の細胞治療単位において、前記分化能を持つ細胞は、多能性細胞である。
【請求項３】
請求項１の細胞治療単位において、前記単位は、胎児の臍帯血若しくは胎児の組織から入手された分化能を持つ細胞を有するものである。
【請求項４】
請求項１の細胞治療単位において、前記単位は、胎児の臍帯血から入手された分化能を持つ細胞を有するものである。
【請求項５】
請求項１の細胞治療単位において、前記分化能を持つ細胞の少なくともいくつかは、分娩後の胎盤から入手されるものである。
【請求項６】
請求項１の細胞治療単位において、前記分化能を持つ細胞は、少なくとも２個体に由来するものである。
【請求項７】
請求項１の細胞治療単位において、前記分化能を持つ細胞は、少なくとも５個体に由来するものである。
【請求項８】
請求項１の細胞治療単位において、少なくとも１タイプの細胞は、前記単位から除外されるものである。
【請求項９】
請求項１の細胞治療単位において、前記複数の分化能を持つ細胞は、適応される疾患状態または病状の治療に適した細胞治療単位を与えるように選択されたものである。
【請求項１０】
請求項９の細胞治療単位において、少なくとも１タイプの細胞は、前記単位から除外されるものである。
【請求項１１】
造血細胞を必要とする患者の治療に適した細胞治療単位であって、
事前に選択された少なくとも２タイプの分化能を持つ細胞を有するものであり、
前記単位は複数の供給源からの細胞を有し、前記複数の供給源の１供給源は分娩後の胎盤灌流液であり、
少なくとも約１００個の細胞はＣＤ３４＋である、若しくは少なくとも１００個の細胞はＣＤ８＋である、細胞治療単位。
【請求項１２】
前記細胞治療単位の内容物の証明に分配された、請求項１１の細胞治療単位。
【請求項１３】
請求項１２の細胞治療単位において、前記証明は、前記細胞治療単位から除外された細胞の指標を有するものである。
【請求項１４】
請求項１２の細胞治療単位において、前記証明は、前記細胞治療単位に存在しない細胞の指標を有するものである。
【請求項１５】
請求項１２の細胞治療単位において、前記証明は、適応される疾患状態または病状の治療に適した細胞治療単位を与えるような特定の細胞タイプが存在するか、存在しないか及び／若しくは除外するかを示すものである。
【請求項１６】
造血細胞を必要とする患者の治療に適した細胞治療単位であって、
（ａ）臍帯血から入手された細胞と、（ｂ）分娩後の胎盤灌流液から入手された細胞とを有するものであり、
少なくとも１タイプの細胞は前記単位から除去されており、前記単位内に残っている少なくとも約１００個の細胞はＣＤ３４＋である、若しくは前記単位内に残っている少なくとも約１００個の細胞はＣＤ８＋である、細胞治療単位。
【請求項１７】
請求項１６の細胞治療単位において、複数の細胞タイプは、前記単位から除去されているものである。
【請求項１８】
造血細胞を必要とする患者の治療に適した細胞治療単位であって、
臍帯血から入手された細胞、及び分娩後の胎盤灌流液から入手された細胞との混合物を有し、
前記細胞は複数の異なるタイプから成り、前記異なるタイプの少なくとも１つは別のタイプの供給源とは異なる供給源から入手されたものであり、
少なくとも約１００個の細胞はＣＤ３４＋である、若しくは少なくとも約１００個の細胞はＣＤ８＋である、細胞治療単位。
【請求項１９】
請求項１８の細胞治療単位において、前記細胞のタイプの少なくとも１つは、別のタイプの細胞とは個別に凍結されているものである。
【請求項２０】
凍結状態の、請求項１８の細胞治療単位。
【請求項２１】
請求項１８の細胞治療単位において、前記細胞の少なくとも１つは特徴が決定されているものである。
【請求項２２】
造血細胞を必要とする患者の治療に適した細胞治療単位のライブラリであって、
前記ライブラリの単位構成要素のそれぞれは、複数の分化能を持つ細胞を有するものであり、
前記単位のそれぞれは複数の供給源からの細胞を有し、前記複数の供給源の１供給源は胎児の臍帯血、胎児の組織、分娩後の胎盤、或いは分娩度の胎盤灌流液であり、
前記単位のそれぞれは、前記複数の分化能を持つ細胞の少なくともいくつかの同一性及び数の精度を確認するためにアッセイされている、ライブラリ。
【手続補正２】
【補正対象書類名】明細書
【補正対象項目名】０００５
【補正方法】変更
【補正の内容】
【０００５】
先行の慣例では、様々な研究および医療施設から矛盾した治療結果を生じる可能性があり、細胞治療法の正確な統計学的分析は達成が困難であるか、不可能である。したがって、改善された細胞治療の物質および方法、つまり再現性のある結果や科学的分析を受け入れられる物質および方法が、長い間切望されていた。細胞治療法の特異性を改善し、効率と結果の改善に影響を及ぼすことも望まれる。重要なことに、細胞療法に当てられている医療分野を進歩させるために、十分なデータの回収能力を推し進め、単位ごとの再現性に対する要求もある。本発明は、これらの要求、および他の長い間の切実な要求に対して、解決法を提供する。
この出願の発明に関連する先行技術文献情報としては次のものがある。
【特許文献１】米国特許出願公開第２００２／０１３２３４３号明細書
【特許文献２】米国特許第６，４６１，６４５号明細書
【手続補正書】
【提出日】平成18年11月24日(2006.11.24)
【手続補正１】
【補正対象書類名】特許請求の範囲
【補正対象項目名】全文
【補正方法】変更
【補正の内容】
【特許請求の範囲】
【請求項１】
リポソーム処方物であって、水溶性のグルココルチコイドが、リポソーム内部の水性相中に存在し、かつ該リポソームが150〜500nmの範囲のサイズを有し、過剰の負電荷を示すかまたは両性を示す脂質混合物を含有し、及び35〜50モル％の範囲の量でコレステロールを含み、さらに如何なる両親媒性の変性ポリエチレングリコールをも含まないことを特徴とする、上記リポソーム処方物。
【請求項２】
該コレステロール量が35〜45モル％の範囲である、請求項1記載のリポソーム処方物。
【請求項３】
該中性脂質が、ジミリストイルホスファチジルコリン、ジパルミトイルホスファチジルコリン、パルミトイルオレイルホスファチジルコリン、ジステアロイルホスファチジルコリンおよび/またはコレステロールからなる群から選択され、あるいは天然起源の精製されたコリン画分を含む、請求項1または2記載のリポソーム処方物。
【請求項４】
該コリン画分が大豆ホスファチジルコリンまたは卵ホスファチジルコリンである、請求項3記載のリポソーム処方物。
【請求項５】
該リポソーム膜の負電荷が、アニオン性脂質のみにより与えられ、該アニオン性脂質がホスファチジルグリセロールまたはホスファチジルセリンを含む、請求項1〜4のいずれか一項に記載のリポソーム処方物。
【請求項６】
該アニオン性脂質がホスファチジルグリセロールを含む、請求項5に記載のリポソーム処方物。
【請求項７】
該アニオン性脂質がジパルミトイルホスファチジルグリセロールを含む、請求項5に記載のリポソーム処方物。
【請求項８】
該アニオン性脂質のモル比が20モル％以下である、請求項5〜7のいずれか一項に記載のリポソーム処方物。
【請求項９】
該アニオン性脂質のモル比が5〜15モル％の範囲である、請求項8に記載のリポソーム処方物。
【請求項１０】
該リポソーム膜が、中性、カチオン性およびアニオン性脂質を含み、かつアニオン性脂質のモル比率が40モル％以下であり、カチオン性脂質のモル比率が40モル％以下であり、かつ中性脂質のモル比率が30〜80モル％の範囲にある、請求項1〜9のいずれか一項に記載のリポソーム処方物。
【請求項１１】
該アニオン性脂質のモル比率が5〜30モル％の範囲にあり、カチオン性脂質のモル比率が5〜30モル％の範囲にあり、かつ中性脂質のモル比率が40〜70モル％の範囲にある、請求項10に記載のリポソーム処方物。
【請求項１２】
該リポソーム膜が、中性及び両性脂質を含み、両性脂質のモル比率が5〜40モル％の範囲にあり、かつ中性脂質のモル比率が30〜80モル％の範囲にある、請求項1〜4のいずれか一項に記載のリポソーム処方物。
【請求項１３】
中性脂質のモル比率が40〜70モル％の範囲にある、請求項12に記載のリポソーム処方物。
【請求項１４】
該水溶性のグルココルチコイドが、リン酸エステル、グリコシドまたはその硫酸エステルである、請求項1〜13のいずれか一項に記載のリポソーム処方物。
【請求項１５】
該水溶性のグルココルチコイドが、デクサメタゾンホスフェート、デクサメタゾンリン酸二水素二ナトリウム、リン酸トリアムシノロンアセトニド、リン酸プレドニソロンからなる群から選択される、請求項14記載のリポソーム処方物。
【請求項１６】
全身投与用である、請求項1〜15のいずれか一項に記載のリポソーム処方物。
【請求項１７】
炎症性疾患の治療用である、請求項1〜15のいずれか一項に記載のリポソーム処方物。
【請求項１８】
リウマチ性関節炎の治療のための、ヒトまたは動物における全身投与用リポソーム処方物であって、水溶性のグルココルチコイドが、該処方物の内側の水性相中に存在し、かつ該処方物が如何なる両親媒性の変性ポリマーも含まないことを特徴とする、上記処方物。
【請求項１９】
両親媒性の変性ポリマーがポリエチレングリコール-ホスファチジルエタノールアミンである、請求項18に記載のリポソーム処方物。
【請求項２０】
炎症性疾患の治療のための、ヒトまたは動物における全身投与用の、請求項1〜15のいずれか一項に記載のリポソーム処方物。
【請求項２１】
リウマチ性関節炎の治療のための、ヒトまたは動物における全身投与用の、請求項1〜15のいずれか一項に記載のリポソーム処方物。
【手続補正書】
【提出日】平成18年11月28日(2006.11.28)
【手続補正１】
【補正対象書類名】明細書
【補正対象項目名】００４３
【補正方法】変更
【補正の内容】
【００４３】
（ｉｖ）（Ｃ６−１０−アリール）１−３−Ｃ１−１０−アルキルであり、所望により（ｉ）１個以上の安定な置換基、例えばハロゲノまたはニトロ、または（ｉｉ）それらが結合している環の炭素原子と共に、所望により１個または２個の窒素原子または酸素原子を含む５員環または６員環を形成する２個の置換基、によりアリール基を置換されていてよい。（Ｃ６−１０−アリール）１−３−Ｃ１−１０−アルキルは、好ましくは（ｉ）（フェニル）１−３−Ｃ１−４−アルキルであり、より好ましくはベンジル、ジフェニルメチルまたはトリフェニルメチルであり、所望により１個、２個または３個のハロゲン、例えばクロロにより各ベンゼン環を置換されていて良く、（ｉｉ）アントリルメチル、例えば９−アントリルメチルであるか、または（ｉｉｉ）ピペロニルである。
（ｖ）Ｃ６−１０−アリール−Ｃ１−４−アルコキシ−Ｃ１−４−アルキルであり、好ましくはベンジルオキシメチルである。
（ｖｉ）Ｃ６−１０−アリール−カルボニル−Ｃ１−４−アルキルであり、好ましくはフェナシルである。
好ましくは、Ｒ１５またはＲ１７は、水素化分解により除去可能な基であり、例えば、ベンジル、ベンジルオキシメチル、フェナシル、トリフェニルメチル、ピペロニルまたは９−アントリルメチルであり、好ましくはベンジルである。
【手続補正書】
【提出日】平成18年12月8日(2006.12.8)
【手続補正１】
【補正対象書類名】特許請求の範囲
【補正対象項目名】全文
【補正方法】変更
【補正の内容】
【特許請求の範囲】
【請求項１】
式（I）の化合物：
【化１】
2006509794.tif 000001
（式中、
A1及びA2は、それぞれ独立した結合であり、或いは非置換であるか、又はハロゲン及びC3-C8シクロアルキルから選定された１から６個の同一、もしくは異なる置換基により置換されたC1-C6アルキレン架橋であり;
A3は、非置換であるか、或いはハロゲン及びC3-C8シクロアルキルから選定された１から６個の同一、又は異なる置換基により置換されたC1-C6アルキレン架橋であり ;
Yは、0、NR7、S、SO又はSO2であり；
X1及びX2は、それぞれ独立してフッ素、塩素又は臭素であり；
R1、R2及びR3は、それぞれ独立してH、ハロゲン、OH、SH、CN、ニトロ、C1-C6アルキル、C1-C6ハロアルキル、C1-C6アルキルカルボニル、C2-C6アルケニル、C2-C6ハロアルケニル、C2-C6アルキニル、C1-C6アルコキシ、C1-C6ハロアルコキシ、C3-C6アルケニルオキシ、C3-C6ハロアルケニルオキシ、C3-C6アルキニルオキシ、-(S=O)-C1-C6アルキル、-(SO)2-C1-C6アルキル又はC1-C6アルコキシカルボニルであり；
置換基R3はmが2である場合、互いに独立しており；
Qは、O、NR5、S、SO又はS02であり；
Wは、0、NR5、S、SO、S02、-C(=O)-O-、-O-C(=O)-、-C(=O)-NR5-又は-NR5-C(=O)-であり；
Tは、結合、O、NR5、S、SO、S02、-C(=O)-O-、-O-C(=O)-、-C(=O)-NR5-又は-NR5-C(=O)-であり;
Dは、CH又はNであり；
R4は、H、ハロゲン、OH、SH、CN、ニトロ、C1-C6アルキル、C1-C6ハロアルキル、C1-C6アルキルカルボニル、C2-C6アルケニル、C2-C6ハロアルケニル、C2-C6アルキニル、C1-C6アルコキシ、C1-C6ハロアルコキシ、C3-C6-アルケニルオキシ、C3-C6ハロアルケニルオキシ、C3-C6アルキニルオキシ、-(S=O)-C1-C6アルキル、-(SO)2-C1-C6アルキル、C1-C6アルコキシカルボニル又はN(R6)2（ここで２つの置換基R6は互いに独立しており）であり；置換基R4は、kが１より大きい場合、互いに独立しており ;
R5、R6及びR7はそれぞれ独立して、H、C1-C6アルキル、C1-C3ハロアルキル、C1-C3ハロアルキルカルボニル、C1-C6アルコキシアルキル、C1-C6アルキルカルボニル、C1-C6アルコキシカルボニル、C3-C8-シクロアルキル、C3-C8シクロアルキル-C1-C6アルキル、C3-C8シクロアルキルカルボニルのいずれかであり;
kは、Dが窒素である場合、1、2又は3であり；或いはDがCHである場合、1、2、3又は4であり；
mは、1又は2であり ;
R10は、任意のラジカルであり、O、N及びSから選定された1から3個のヘテロ原子を含み
;及びC1-C6アルキレン架橋を経由してR12と連結してよく;
R11はH、C1-C12アルキル、ハロゲン又は任意のラジカルであり、O、N及びSから選定された1から3個のヘテロ原子を含み；或いはR11はR12と一緒になった結合であり；
或いはR10及びR11は、それらが結合している炭素原子と一緒になった5から7員環であり、その環はO、N及びSから選定された1から3個のヘテロ原子を任意に含み、そしてそれは非置換であるか、又はハロゲン、OH、=O、SH、=S、=N-OH、=N-O-C1-C6アルキル、CN、ニトロ、C1-C6アルキル、C1-C6ハロアルキル、C1-C6アルキルカルボニル、C2-C6アルケニル、C2-C6ハロアルケニル、C2-C6アルキニル、C1-C6アルコキシ及びC1-C6ハロアルコキシから選定された1から3個の同一の又は異なる置換基で置換され；
R12はH、C1-C6アルキル、ハロ-C1-C6アルキル、C1-C6アルコキシ-C1-C6アルキル、C3-C6シクロアルキル、フェノキシ-C1-C6アルキル、CN、-C(=O)C1-C12アルキル、非置換のヘテロシクリル、OH、=O、SH、=S、ハロゲン、CN、ニトロ、C1-C6アルキル、C1-C6ハロアルキル、C1-C6アルキルカルボニル、C2-C6アルケニル、C2-C6ハロアルケニル、C1-C6アルコキシ及びC1-C6ハロアルコキシから成る群から選定された1から3個の置換基により置換されたヘテロシクリルであり；或いはR12はR11と一緒になった結合であり；或いはR10と連結しているC2-C6アルキレン架橋である）、
並びに適宜、それぞれが遊離形態もしくは塩形態にある場合、それらの可能なE/Z異性体、E/Z異性体混合物、及び／又は互変異体。
【請求項２】
遊離形態にある、請求項１に記載の式（Ｉ）の化合物。
【請求項３】
前記X1及びX2が塩素又は臭素である、請求項２に記載の式（Ｉ）の化合物。
【請求項４】
前記DがCHである、請求項３に記載の式（Ｉ）の化合物。
【請求項５】
前記A3がプロピレンである、請求項４に記載の式（Ｉ）の化合物。
【請求項６】
前記R11及びR12が一緒になった結合である、請求項１に記載の式（Ｉ）の化合物。
【請求項７】
活性成分として、遊離形態、又は農薬的に許容され得る塩形態にある少なくとも１つの請求項１に記載の式（Ｉ）の化合物、及び少なくとも１のアジュバントを含んで成る、殺虫組成物。
【請求項８】
害虫又はそれらの居所に請求項７に記載の殺虫組成物を適用することを含んで成る、害虫制御方法。
【手続補正書】
【提出日】平成18年11月27日(2006.11.27)
【手続補正１】
【補正対象書類名】特許請求の範囲
【補正対象項目名】全文
【補正方法】変更
【補正の内容】
【特許請求の範囲】
【請求項１】
放射線を伝播軸に沿うように方向付ける放射線源と、
上記放射線を受けるように位置決めされた検出器アセンブリであって、実質的に伝播軸に沿って伸びるように方向付けられるとともに伝播軸を横切る方向に間隔をあけて軸方向に伸び複数の検知器容積部を画成する複数のシートを含む検出器アセンブリと、
検知器容積部内に解放された正および負に荷電した高エネルギー粒子を検出して、実質的に独立した信号を生成する検出手段とを備えている画像システム。
【請求項２】
上記検出手段がアモルファスセレニウムを含んでいる請求項１に記載の画像システム。
【請求項３】
超高圧放射線を伝播軸に沿うように方向付ける放射線源と、
上記放射線を受けるように位置決めされた検出器アセンブリであって、実質的に伝播軸に沿って伸びるように方向付けられるとともに伝播軸を横切る方向に間隔をあけて軸方向に伸び複数の検知器容積部を画成する複数のシートを含む検出器アセンブリとを備えていて、
上記シートが、長手方向に超高圧放射線を受けるようになっていて、
さらに、検知器容積部内に解放された正および負に荷電した高エネルギー粒子を検出して、実質的に独立した信号を生成する検出手段を備えている画像システム。
【請求項４】
基板の少なくとも１つの表面上に、複数の読出し電極ストリップを付着させるステップと、
上記読出し電極ストリップの少なくとも１つの表面上に、アモルファスセレニウム層を付着させるステップと、
上記アモルファスセレニウム層の少なくとも１つの表面上に、高電圧電極層を付着させるステップとを含んでいる、超高圧放射線検出器を作成する方法。
【請求項５】
上記検出器アセンブリが、高電圧電源に接続するように操作することができる高電圧バスバーを支持するハウジングを含み、かつ各シートが高電圧バスバーに接続可能である請求項１に記載の画像システム。
【請求項６】
上記検出手段の表面が上記シートと接触し、電荷を受け入れる請求項５に記載の画像システム。
【請求項７】
上記検出手段が放射線を吸収して負に荷電した高エネルギー粒子を生成し、かつ負に荷電した高エネルギー粒子が上記検出手段の表面に移動して、電荷の一部を中和する請求項６に記載の画像システム。
【請求項８】
上記検出器アセンブリが、上記シートを上記検出器アセンブリ内に位置決めするための配列手段を有する誘電体素子を含んでいる請求項１に記載の画像システム。
【請求項９】
上記放射線が上記放射線源から発散し、かつ上記誘電体素子が湾曲して上記放射の発散に対応する複数のシートを方向づける請求項８に記載の画像システム。
【請求項１０】
上記放射線源が超高圧放射線を上記伝播軸に沿うように方向づける請求項１に記載の画像システム。
【手続補正書】
【提出日】平成18年11月17日(2006.11.17)
【手続補正１】
【補正対象書類名】特許請求の範囲
【補正対象項目名】請求項２
【補正方法】変更
【補正の内容】
【請求項２】
ステップ（ａ）で必要な水の少なくとも一部を、エンジン又は車両の排気ガス流を凝縮することにより得る、請求項１に記載の方法。
【手続補正２】
【補正対象書類名】特許請求の範囲
【補正対象項目名】請求項１６
【補正方法】変更
【補正の内容】
【請求項１６】
請求項１１〜１５のいずれか一項に記載のＨＣＣＩ及び燃料系統を含んだ車両。
【手続補正書】
【提出日】平成18年12月1日(2006.12.1)
【手続補正１】
【補正対象書類名】特許請求の範囲
【補正対象項目名】請求項１６
【補正方法】変更
【補正の内容】
【請求項１６】
前記選択装置は、動力伝達部材（１５）に当接し且つ前記第１のプーリー（２）の側面（２’）に面する第１の側面（１０’）と、動力伝達部材（１６）に当接しかつ前記第２のプーリー（３）の側面（３’）に面する第２の側面（１０”）とを有し、また、制御部材（１１）であって、前記選択装置（１０）とともに回転し、前記選択装置（１０）の任意の長手方向の位置に対し、前記選択装置（１０）と前記第１のプーリー（２）及び前記第２のプーリー（３）の少なくとも一方との間における相対的な軸方向の転置に応じたトルクを生じさせる前記制御部材（１１）を有することを特徴とする請求項１３に記載の機構。
【手続補正２】
【補正対象書類名】特許請求の範囲
【補正対象項目名】請求項２１
【補正方法】変更
【補正の内容】
【請求項２１】
前記選択装置（１０）は、動力伝達部材（１５）に当接しかつ前記第１のプーリー（２）の側面（２’）に面する第１の側面（１０’）と、動力伝達部材（１６）に当接しかつ前記第２のプーリー（３）の側面（３’）に面する第２の側面（１０”）とを有し、また、制御部材（１１）であって、前記選択装置（１０）に対して平行移動可能であり、少なくとも１つの側面（１１’、１１”）に、磁気部材（２２、２２’）を具え、該磁気部材（２２、２２’）は、前記第１のプーリー（２）の側面（２’）および前記第２のプーリー（３）の側面（３’）の一方が当接する相補的な磁気部材（２０、２０’）に面する、制御部材（１１）を有することを特徴とする請求項１３に記載の機構。
【手続補正３】
【補正対象書類名】図面
【補正対象項目名】図２Ｂ
【補正方法】変更
【補正の内容】
【図２Ｂ】
2006509154.tif 000001
【手続補正書】
【提出日】平成18年12月4日(2006.12.4)
【手続補正１】
【補正対象書類名】特許請求の範囲
【補正対象項目名】全文
【補正方法】変更
【補正の内容】
【特許請求の範囲】
【請求項１】
水素燃料容器と、
前記水素燃料容器内において金属水素化物を形成するために、水素と組み合わせることができる金属を含む材料と、
前記材料内に記憶されるシステムに関連する情報とを備え、
前記情報が、容器識別情報、水素量情報、量制御情報、製造バッチ情報からなる群から選択される情報を備えるシステム。
【請求項２】
水素燃料容器と、
水素を貯蔵する前記容器内の材料と、
外部システムに物理的に取り付けることなく前記材料に情報照会する、前記容器内に完全に入れられたプローブと
を備えるシステム。
【請求項３】
前記材料を調査する前記プローブが、信号を前記材料に加え、かつ前記加えられた信号に対する応答を検出するために、前記材料と接触する１つまたは複数の部分を備える請求項２に記載のシステム。
【請求項４】
前記信号が、電気信号、磁気信号、電磁信号、音、超音波からなる群から選択される信号を備える請求項３に記載のシステム。
【請求項５】
前記燃料容器がさらに、前記プローブに連結されかつ照会情報の処理と照会情報の記憶の一つ以上を実行する一つ以上のマイクロエレクトロニクス装置を備えることを特徴とする請求項２に記載のシステム。
【請求項６】
前記容器がカセットを備える請求項２に記載のシステム。
【請求項７】
燃料カセットを含む請求項２に記載の燃料容器。
【請求項８】
前記燃料カセットがさらに、前記カセットの外部にある外部システムに照会情報を送信するために前記プローブに連結された遠隔測定装置を備えることを特徴とする請求項７に記載のシステム。
【請求項９】
前記材料が、水素と組み合わせて前記燃料容器内に金属水素化物を形成できる金属を含有することを特徴とする請求項２に記載のシステム。
【請求項１０】
前記システムに関連付けられた情報が前記材料内に形成された磁気パターンを介して前記材料内に記憶され、前記情報が、容器識別情報、水素量情報、品質管理情報、及び製造バッチ情報から成るグループから選択される情報を含むことを特徴とする請求項９に記載のシステム。
【請求項１１】
前記材料が金属水素化物を含み、前記信号が電気信号を含むことを特徴とする請求項９に記載のシステム。
【請求項１２】
充填されたカセットを送出し、空のカセットを受容するように機械化されたカセット交換システムを有する水素送出ユニットをさらに備える請求項９に記載のシステム。
【請求項１３】
支払い情報を入力する支払いシステムと、
水素燃料購入を適正化するユーザ・インターフェースと、
１つまたは複数のカセットを使用者と交換するカセット交換システムであって、枯渇水素燃料カセットを受容する枯渇カセット受容装置と、装填水素燃料カセットをディスペンする装填カセット・ディスペンサを含むカセット交換システムとを備える水素ディスペンス・ユニット。
【請求項１４】
建物を備える水素小売りステーション内において実施される請求項１３に記載の水素ディスペンス・ユニット。
【請求項１５】
前記水素小売りステーションが水素気体を貯蔵するために、水素貯蔵システムを備え、
水素ディスペンス・ユニットが、前記小売りステーションの頭上ルーフを介して前記ルーフから下に水素ディスペンス・ユニットまで経路指定された地上水素伝達パイプによって、前記水素貯蔵システムに結合される請求項１４に記載の水素ディスペンス・ユニット。
【請求項１６】
中央分離帯、街路の脇の歩道、店内、店の入口からなる群から選択される位置に設置される請求項１３に記載の水素ディスペンス・ユニット。
【請求項１７】
装填カセットをディスペンスするために、機械式カセット排出システムを備える請求項１３に記載の水素ディスペンス・ユニット。
【請求項１８】
前記カセット受容装置に追加されたカセットを診断的に試験するために、診断試験システムを備える請求項１３に記載の水素ディスペンス・ユニット。
【請求項１９】
前記カセット受容装置が、枯渇カセットを受容する複数の構造的に事前に区画された位置を含み、
前記カセット受容装置が、装填カセットをディスペンスする複数の構造的に事前に区画された位置を含む請求項１３に記載の水素ディスペンス・ユニット。
【請求項２０】
構造的に事前に区画された位置が、前記位置内に構成されるカセットを感知するために、センサを備える請求項１９に記載の水素ディスペンス・ユニット。
【請求項２１】
前記カセット受容装置に追加されたカセットの情報記憶システムに記憶される情報を読み取るデバイスを備える請求項１３に記載の水素ディスペンス・ユニット。
【請求項２２】
ユニットによってディスペンスされる装填カセットが、水素燃料カセット以外の生成物の市場情報を備える請求項１３に記載の水素ディスペンス・ユニット。
【手続補正書】
【提出日】平成18年12月4日(2006.12.4)
【手続補正１】
【補正対象書類名】明細書
【補正対象項目名】特許請求の範囲
【補正方法】変更
【補正の内容】
【特許請求の範囲】
【請求項１】
少なくとも１つの管を入れ子式に受け入れるための管継手であって、
管を受け入れるための開口を規定する概ね円筒状の壁を有し、更に環状ガスケット保持領域を規定するボディと、
前記環状ガスケット保持空間内に収容されたガスケットとを備え、このガスケットはＶ形部分及びシーリング部分を有し、そのＶ形部分は前記シーリング部分よりも硬い材料から形成されている管継手。